(57)【要約】【課題】簡単な構造で機械的な施開錠を行う鍵を組み込むことができ、緊急時でも施開錠を行うことができる非接触ＩＤタグを提供する。【解決手段】この非接触ＩＤタグのタグケースＡは、アンテナ３とＩＤ情報を記憶させた回路部４とを内部に組み込んだ略平板状のタグブロック１と、鍵Ｋの一部を収納する略平板状の鍵ブロック２とから構成される。鍵ブロック２は、平板状であって内部に挿入孔１０が形成され、挿入孔１０の内面の対向する位置には、鍵Ｋの貫通孔Ｋｂに係合する弾性変形可能な突部１１，１１が形成されている。タグブロック１と鍵ブロック２とは、タグブロック１の開口部７に鍵ブロック２の嵌合部１２を挿入し、嵌合部１２の外面に形成された突部１３，１３が開口部７の内面に形成された凹部８，９に係止して結合される。【選択図】        図１
2004238888.tif 000002
【特許請求の範囲】
【請求項１】
アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれたタグブロックと、内部に前記鍵の一部が挿入される挿入孔が形成され前記挿入孔の内面に前記鍵の一部に形成された貫通孔と係合する弾性突部が形成された鍵ブロックとからなり、前記タグブロックと前記鍵ブロックとのうち一方のブロックの一端部に開口部を形成すると共に該開口部の内面に第１の係止手段を形成し、他方のブロックの一端部に前記開口部に嵌め込まれる嵌合部を形成すると共に該嵌合部の外面に前記第１の係止手段と係止して前記タグブロックと前記鍵ブロックとを結合する第２の係止手段を形成したことを特徴とする非接触ＩＤタグ。
【請求項２】
アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、前記凹平面に配置された前記鍵の一部を覆うようにして前記凹平面に結合される光透過性のふた部材とからなることを特徴とする非接触ＩＤタグ。
【請求項３】
アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、切り欠き部を有し該切り欠き部から前記凹平面に配置された前記鍵の一部を外部に露出させて前記凹平面に結合されるふた部材とからなることを特徴とする非接触ＩＤタグ。
【請求項４】
アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部に結合される光透過性のふた部材とからなることを特徴とする非接触ＩＤタグ。
【請求項５】
アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部の一部を覆うように結合されるふた部材とからなることを特徴とする非接触ＩＤタグ。
【発明の詳細な説明】
【０００１】
【発明の属する技術分野】
本発明は、入退出管理に使用される非接触ＩＤシステムに用いる非接触ＩＤタグに関するものである。
【０００２】
【従来の技術】
従来から、非接触ＩＤシステムとして、ビルなどの建物の玄関や通用口等、人の出入りする部分にリーダユニットを設置して、個人が携帯する非接触ＩＤタグによって入退出を管理するものがある。
【０００３】
この種の非接触ＩＤシステムは、リーダユニットが、非接触ＩＤタグとの間で電磁気的なデータ通信を行って、非接触ＩＤタグに記憶させているデータを読み取り、所定のデータ処理を実行して扉に開錠信号を送信すると、扉が開くようになっている。
【０００４】
上述した非接触ＩＤシステムにおいては、電波障害等による影響でリーダユニットと非接触ＩＤタグとの間で電磁気的なデータ通信が適切に行われなかった場合、扉が開かないことがある。また、火災・地震などによる原因でリーダユニット等が故障している時には、非接触ＩＤタグによって扉を開錠することができない場合がある。そこで、このような緊急時に扉を開錠するため、非接触ＩＤタグに機械的な施開錠を行う鍵を組込んで一体物にして、常に鍵を一緒に携帯することが望ましい。
【０００５】
従来、非接触ＩＤタグに機械的な施開錠を行う鍵を組込んで一体物にしたものとして、例えば特許文献１に開示されているものがある。
【０００６】
【特許文献１】
特開２００１−１８２３８８号公報
【０００７】
【発明が解決しようとする課題】
しかしながら、従来の鍵を組み込むことができる非接触ＩＤタグの構造は、やや複雑なものであった。
【０００８】
また、一般的に鍵本体には鍵名称（メーカ名）やシリアル番号などの表示があり、それらの表示は非接触ＩＤタグに鍵本体を組み込んだ後にも確認したい情報であるが、従来のものでは非接触ＩＤタグに組み込んだ後はそれらの表示が非接触ＩＤタグに隠れてしまい、確認できなくなるという問題があった。
【０００９】
本発明は上記問題点に鑑みて為されたものであって、その目的とするところは、簡単な構造で機械的な施開錠を行う鍵を組み込むことができ、緊急時でも施開錠を行うことができる非接触ＩＤタグを提供することにある。
【００１０】
さらに、請求項２乃至５の発明の目的とするところは、上記目的に加えて、機械的な施開錠を行う鍵を組み込んだ後でも鍵に記載された情報を目視確認でき、使い勝手、鍵の管理を容易にする非接触ＩＤタグを提供することにある。
【００１１】
【課題を解決するための手段】
上記目的を達成するために、請求項１記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれたタグブロックと、内部に前記鍵の一部が挿入される挿入孔が形成され前記挿入孔の内面に前記鍵の一部に形成された貫通孔と係合する弾性突部が形成された鍵ブロックとからなり、前記タグブロックと前記鍵ブロックとのうち一方のブロックの一端部に開口部を形成すると共に該開口部の内面に第１の係止手段を形成し、他方のブロックの一端部に前記開口部に嵌め込まれる嵌合部を形成すると共に該嵌合部の外面に前記第１の係止手段と係止して前記タグブロックと前記鍵ブロックとを結合する第２の係止手段を形成したものとした。
【００１２】
請求項２記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、前記凹平面に配置された前記鍵の一部を覆うようにして前記凹平面に結合される光透過性のふた部材とからなるものとした。
【００１３】
請求項３記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、切り欠き部を有し該切り欠き部から前記凹平面に配置された前記鍵の一部を外部に露出させて前記凹平面に結合されるふた部材とからなるものとした。
【００１４】
請求項４記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部に結合される光透過性のふた部材とからなるものとした。
【００１５】
請求項５記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部の一部を覆うように結合されるふた部材とからなるものとした。
【００１６】
【発明の実施の形態】
以下、本発明を実施形態１から実施形態５によって説明する。
【００１７】
（実施形態１）
本実施形態の非接触ＩＤタグを図１乃至図３を用いて説明する。
【００１８】
この非接触ＩＤタグは、アンテナ３とＩＤ情報を記憶させた回路部４とを樹脂製のタグケースＡの内部に組み込み、また機械的な施開錠を行う鍵Ｋの一部をタグケースＡ内に収納する。
【００１９】
本実施形態のタグケースＡは、アンテナ３と回路部４とを内部に組み込んだ略平板状のタグブロック１と、鍵Ｋの一部を収納する略平板状の鍵ブロック２とから構成される。
【００２０】
タグブロック１は、図２に示すように、アンテナ３と回路部４とをタグベース１ａ内に組み込んだ後、タグベース１ａと略同一形状のタグふた１ｂをタグベース１ａに被せて、タグケース１ａとタグふた１ｂとを超音波溶着にて接着固定して組み立てられる。
【００２１】
タグベース１ａおよびタグふた１ｂは、それぞれ図２において下側となる部位から底面５，６および両側面（図示せず）が延設されており、組み立てられたタグブロック１は、図２において下側となる一端部に、底面５，６および両側面で囲まれた開口部７が形成されている。
【００２２】
また、延設された底面５，６の内面の略中央には、第一の係止手段としての凹部８，９が形成されている。
【００２３】
鍵ブロック２は、図３に示すように平板状であって、内部に図３において上下方向となる両側面を貫通する挿入孔１０が形成されている。
【００２４】
挿入孔１０の大きさは、鍵Ｋの取手部Ｋａが挿入可能な大きさであり、挿入孔１０の内面の対向する位置には、鍵Ｋの貫通孔Ｋｂに係合される弾性変形可能な突部１１，１１が形成されている。
【００２５】
なお、突部１１，１１は、鍵Ｋが挿入される側から奥側に向かって緩やかに傾斜する傾斜面を有していてもよい。
【００２６】
挿入孔１０には、図３において下側から鍵Ｋが挿入され、鍵Ｋに押圧された突部１１，１１が弾性変形しながら鍵Ｋを通過させ、鍵Ｋの取手部Ｋａに形成された貫通孔Ｋｂと突部１１，１１との位置が一致したところで突部１１，１１の押圧が解除され、突部１１，１１が貫通孔Ｋｂに両側から係合して鍵Ｋを保持する。
【００２７】
また、鍵ブロック２の鍵Ｋが挿入される側と反対側には、外周が他の鍵ブロック２の部位の外周と比較して若干小さい嵌合部１２が延設される。嵌合部１２を形成する壁部のうち、一対の対向する壁部の外面には、第２の係止手段としての突部１３，１３が形成されている。
【００２８】
以上のように構成されたタグブロック１と鍵ブロック２とは、タグブロック１の開口部７に鍵ブロック２の嵌合部１２を挿入し、嵌合部１２の外面に形成された突部１３，１３が開口部７の内面に形成された凹部８，９に係止することでタグブロック１と鍵ブロック２とが結合され、タグケースＡが組み立てられる。組み立てられたタグケースＡは、タグブロック１の外面と鍵ブロック２の外面とが略同一面となり、一枚の平板状となる。
【００２９】
かかる非接触ＩＤタグにおいては、鍵ブロック２に鍵Ｋを差し込んで弾性突部１１，１１により鍵Ｋを脱落することなく保持させ、タグブロック１に鍵ブロック２を嵌め込んで突部１３，１３を凹部８，９に係止させて結合するという簡単な構造で非接触ＩＤタグに鍵Ｋを組み込むことができ、常に鍵を一緒に携帯することで緊急時でも施開錠を行うことができるようになる。
【００３０】
（実施形態２）
本実施形態における構成のうち実施形態１と共通する部分については同一の符号を付して説明を省略し、本実施形態の特徴となる部分についてのみ詳細に説明する。
【００３１】
本実施形態の非接触ＩＤタグは、実施形態１の非接触ＩＤタグに対して、タグケースＢの構造が異なっている。
【００３２】
本実施形態のタグケースＢは、図４に示すように、内部にアンテナ３と回路部４とが組み込まれ表面に凹平面２０ｃが形成された樹脂製のタグケース本体２０と、凹平面２０ｃに結合される半透明の樹脂製のふた部材２１とから構成される。
【００３３】
タグケース本体２０は、図５に示すように、平板状のベース２０ａとタグふた２０ｂとから形成される。
【００３４】
ベース２０ａは、長手方向の一方にアンテナ３および回路部４が配設され、他方に鍵Ｋの貫通孔Ｋｂと係合する突部２２が形成されている。
【００３５】
タグふた２０ｂは、ベース２０ａの略半分の大きさで、ベース２０ａのアンテナ３および回路部４を覆うようにしてベース２０ａに被着され、ベース２０ａとタグふた２０ｂとが超音波溶着にて接着固定されてタグケース本体２０が形成される。
【００３６】
この時、タグふた２０ｂが被着されなかったベース２０ａの長手方向の他方は長手方向の一方と比較して窪んでおり、突部２２を有する凹平面２０ｃが形成されている。
【００３７】
凹平面２０ｃには、図６に示すように、鍵Ｋが配置される。本実施形態の鍵Ｋは、表面にシリアル番号Ｓが表示されており、シリアル番号Ｓを凹平面２０ｃと反対側に向けて、取手部Ｋａに形成された貫通孔Ｋｂを突部２２に係合させて配置される。
【００３８】
一方、半透明のふた部材２１は、図７に示すようにタグケース本体２０の凹平面２０ｃと略同一の大きさであり、凹平面２０ｃに配置された鍵Ｋの取手部Ｋａを覆うようにして凹平面２０ｃに結合される。
【００３９】
ふた部材２１の結合方法は、特定の方法に限定されるものではなく、例えば、ネジ固定や、樹脂成形品の弾性を利用した嵌め込み固定でもよい。
【００４０】
ふた部材２１が凹平面２０ｃに結合されると、凹平面２０ｃにある突部２２の先端がふた部材２１の裏面に当接し、鍵Ｋの脱落が防止される。
【００４１】
結合されたふた部材２１は、タグケース本体２０と合わせて一枚の平板状となる。
【００４２】
かかるタグケースＢにおいては、タグケース本体２０の凹平面２０ｃに形成された突部２２に鍵Ｋの貫通孔Ｋｂを係合させて鍵Ｋを配置し、半透明のふた部材２１を凹平面２０ｃに結合するという簡単な構造で非接触ＩＤタグに鍵Ｋを組み込むことができ、常に鍵を一緒に携帯することで緊急時でも施開錠を行うことができるようになる。
【００４３】
さらに、ふた部材２１が半透明なため、ふた部材２１をタグケース本体２０に結合した後でも、鍵Ｋに表示されたシリアル番号Ｓを確認することができ、使い勝手・鍵の管理が容易となる。
【００４４】
なお、本実施形態のふた部材２１は半透明としたが、透明なふた部材を用いても同様の効果が得られる。
【００４５】
（実施形態３）
本実施形態における基本構成は実施形態２と共通するために共通する部分については同一の符号を付して説明を省略し、本実施形態の特徴となる部分についてのみ詳細に説明する。
【００４６】
則ち本実施形態は、実施形態２に対して、ふた部材２１’が異なる点に特徴がある。
【００４７】
本実施形態のふた部材２１’は、光透過性を有していなくてもよく、図８に示すように、凹平面２０ｃと略同一の外形において、凹平面２０ｃに配置された鍵Ｋに表示されたシリアル番号Ｓと対向する位置に、切り欠き部２３を設けている。
【００４８】
かかるふた部材２１’を用いたタグケースＣにおいては、図９に示すように、ふた部材２１’が凹平面２０ｃに結合されると、タグケース本体２０に配置された鍵Ｋのシリアル番号Ｓが切り欠き部２３から露出するので、実施形態２のタグケースＢと同様にふた部材２１’をタグケース本体２０に結合した後でも、鍵Ｋに表示されたシリアル番号Ｓを確認することができ、使い勝手・鍵の管理が容易となる。
【００４９】
（実施形態４）
本実施形態における基本構成は実施形態２又は３と共通するために共通する部分については同一の符号を付して説明を省略し、本実施形態の特徴となる部分についてのみ詳細に説明する。
【００５０】
本実施形態の非接触ＩＤタグは、実施形態２又は３の非接触ＩＤタグに対して、タグケースＤの構造が異なっている。
【００５１】
本実施形態のタグケースＤは、図１０に示すように、内部にアンテナ３と回路部４とが組み込まれると共に鍵Ｋの取手部Ｋａが挿入される空間部３２が形成され、空間部３２の一部を外部に露出させる切り欠き部３３が一面に形成されたタグケース本体３０と、切り欠き部３３に結合される半透明のふた部材３１とから構成される。
【００５２】
タグケース本体３０は、図１１に示すように、平板状のベース３０ａとタグふた３０ｂとから形成される。
【００５３】
ベース３０ａは、長手方向の一方にアンテナ３および回路部４が配設され、他方に鍵Ｋの取手部Ｋａより若干広めの大きさで取手部Ｋａを配置可能な凹平面３２’が形成されている。
【００５４】
タグふた３０ｂは、ベース３０ａと略同じ外形の一部に切り欠き部３３を設けている。
【００５５】
タグケース本体３０は、ベース３０ａにタグふた３０ｂを被着して、ベース３０ａとタグふた３０ｂとを超音波溶着にて接着固定して形成される。
【００５６】
この時、タグケース本体３０の内部には、ベース３０ａの凹平面３２’とタグふた３０ｂの内面とで囲まれた空間部３２が形成されており、タグケース本体３０の図１１における下側の側面に空間部３２への挿入孔が開口している（図示せず）。また、空間部３２の一部がタグふた３０ｂの切り欠き部３３から外部に露出している。
【００５７】
以上のように形成されたタグケース本体３０には、図１２に示すように、タグケース本体３０の図１２における下側から空間部３２へ向けて鍵Ｋの取手部Ｋａがスライド自在に挿入される。
【００５８】
挿入された鍵Ｋは、切り欠き部３３から貫通孔Ｋｂとシリアル番号Ｓが外部に露出している。
【００５９】
一方、半透明のふた部材３１は、図１３に示すように、タグケース本体３０の切り欠き部３３と略同じ大きさに形成され、裏面には鍵Ｋの貫通孔Ｋｂに係合される突部３４が形成されている。
【００６０】
ふた部材３１は、裏面に設けた突部３４をタグケース本体３０へ挿入された鍵Ｋの貫通孔Ｋｂに嵌め込みながら、タグケース本体３０の切り欠き部３３へ結合される。
【００６１】
ふた部材３１が切り欠き部３３へ嵌め込まれると、突部３４の先端がタグケース本体３０の凹平面３２に当接し、鍵Ｋの脱落が防止される。
【００６２】
なお、ふた部材３１をタグケース本体３０へ結合する方法は、特定の方法に限定されるものではなく、例えば、樹脂成形品の弾性を利用した嵌め込み固定でもよい。
【００６３】
かかるタグケースＤにおいては、タグケース本体３０の空間部に鍵Ｋを挿入し、ふた部材３１の裏面に形成された突部３４を鍵Ｋの貫通孔Ｋｂに係合させてふた部材３１を凹平面に結合するという簡単な構造で非接触ＩＤタグに鍵Ｋを組み込むことができ、常に鍵を一緒に携帯することで緊急時でも施開錠を行うことができるようになる。
【００６４】
さらにふた部材３１が半透明なため、ふた部材３１をタグケース本体３０に結合した後でも、鍵Ｋに表示されたシリアル番号Ｓを確認することができ、使い勝手、鍵の管理が容易となる。
【００６５】
なお、ふた部材３１は、透明でもよい。
【００６６】
（実施形態５）
本実施形態における基本構成は実施形態４と共通するために共通する部分については同一の符号を付して説明を省略し、本実施形態の特徴となる部分についてのみ詳細に説明する。
【００６７】
則ち、本実施形態は、実施形態４に対して、ふた部材３１’が異なる点に特徴がある。
【００６８】
本実施形態のふた部材３１’は、光透過性を有していなくてもよく、図１４に示すように、その外形がタグケース本体３０の切り欠き部３３の略半分程度を覆う大きさに形成されている。裏面には、実施形態４のふた部材３１と同様に、鍵Ｋの貫通孔Ｋｂに係合される突部３４が形成されている。
【００６９】
かかるふた部材３１’を用いたタグケースＥにおいては、図１５に示すように、ふた部材３１’がタグケース本体３０に結合されても、タグケース本体３０に配置された鍵Ｋのシリアル番号Ｓが切り欠き部３３から露出するので、実施形態４のタグケースＤと同様にふた部材３１’をタグケース本体３０に結合した後でも、鍵Ｋに表示されたシリアル番号Ｓを確認することができ、使い勝手、鍵の管理が容易となる。
【００７０】
【発明の効果】
請求項１記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれたタグブロックと、内部に前記鍵の一部が挿入される挿入孔が形成され前記挿入孔の内面に前記鍵の一部に形成された貫通孔と係合する弾性突部が形成された鍵ブロックとからなり、前記タグブロックと前記鍵ブロックとのうち一方のブロックの一端部に開口部を形成すると共に該開口部の内面に第１の係止手段を形成し、他方のブロックの一端部に前記開口部に嵌め込まれる嵌合部を形成すると共に該嵌合部の外面に前記第１の係止手段と係止して前記タグブロックと前記鍵ブロックとを結合する第２の係止手段を形成したので、前記弾性突部により前記鍵ブロックに挿入された鍵を脱落することなく係止させ、前記タグブロックと前記鍵ブロックとを互いに嵌め込んで前記第１の係止手段と前記第２の係止手段とにより結合するという簡単な構造で、非接触ＩＤタグに鍵を組み込むことができ、緊急時でも施開錠を行うことができる非接触ＩＤタグを実現できるという効果がある。
【００７１】
請求項２記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、前記凹平面に配置された前記鍵の一部を覆うようにして前記凹平面に結合される光透過性のふた部材とからなるので、前記タグケース本体の凹平面に形成された前記突部に鍵の貫通孔を係合させて鍵を配置し、光透過性のふた部材を凹平面に結合するという簡単な構造で、非接触ＩＤタグに鍵を組み込むことができ、緊急時でも施開錠を行うことができる非接触ＩＤタグを実現できるという効果がある。また、前記ふた部材が光透過性を有するため、鍵を組み込んだ後でも鍵に記載された情報を目視確認でき、使い勝手・鍵の管理が容易になるという効果もある。
【００７２】
請求項３記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれ表面に形成された凹平面に前記鍵の一部に形成された貫通孔と係合する突部が形成されたタグケース本体と、切り欠き部を有し該切り欠き部から前記凹平面に配置された前記鍵の一部を外部に露出させて前記凹平面に結合されるふた部材とからなるので、前記タグケース本体の凹平面に形成された前記突部に鍵の貫通孔を係合させて鍵を配置し、前記ふた部材を凹平面に結合するという簡単な構造で、非接触ＩＤタグに鍵を組み込むことができ、緊急時でも施開錠を行うことができる非接触ＩＤタグを実現できるという効果がある。また、前記ふた部材に、前記凹平面に配置された鍵の一部を外部に露出させる切り欠き部を設けたので、鍵を組み込んだ後でも前記切り欠き部から露出した鍵の部位に記載された情報を目視確認でき、使い勝手・鍵の管理が容易になるという効果もある。
【００７３】
請求項４記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部に結合される光透過性のふた部材とからなるので、前記タグケース本体の空間部に鍵を挿入し、前記ふた部材の裏面に形成された突部を鍵の貫通孔に係合させながら前記ふた部材を前記切り欠き部に結合するという簡単な構造で、非接触ＩＤタグに鍵を組み込むことができ、緊急時でも施開錠を行うことができる非接触ＩＤタグを実現できるという効果がある。また、前記ふた部材が光透過性を有するため、鍵を組み込んだ後でも鍵に記載された情報を目視確認でき、使い勝手・鍵の管理が容易になるという効果もある。
【００７４】
請求項５記載の非接触ＩＤタグは、アンテナとＩＤ情報を記憶させた回路部とをタグケースの内部に組み込み、機械的な施開錠を行う鍵の一部を前記タグケース内に収容する非接触ＩＤタグであって、前記タグケースは、内部に前記アンテナと前記回路部とが組み込まれると共に前記鍵の一部が挿入される空間部が形成され前記空間部の一部を外部に露出させる切り欠き部を有するタグケース本体と、裏面に前記鍵の一部に形成された貫通孔と係合する突部が形成され、裏面を前記空間部側に向けて前記切り欠き部の一部を覆うように結合されるふた部材とからなるので、前記タグケース本体の空間部に鍵を挿入し、前記ふた部材の裏面に形成された突部を鍵の貫通孔に係合させながら前記ふた部材を前記切り欠き部に結合するという簡単な構造で、非接触ＩＤタグに鍵を組み込むことができ、緊急時でも施開錠を行うことができる非接触ＩＤタグを実現できるという効果がある。また、前記ふた部材が前記切り欠き部の一部を覆うように結合され、前記ふた部材で覆われなかった部位から鍵の一部が露出するので、鍵を組み込んだ後でも露出した鍵の部位に記載された鍵の情報を目視確認でき、使い勝手・鍵の管理が容易になるという効果もある。
【図面の簡単な説明】
【図１】（ａ）実施形態１の非接触ＩＤタグのタグケースの分解斜視図である。
（ｂ）同上のタグケースの斜視図である。
【図２】（ａ１）同上のタグベースの側面断面図である。
（ａ２）同上のタグベースの正面図である。
（ｂ１）同上のタグふたの側面断面図である。
（ｂ２）同上のタグふたの正面図である。
（ｃ１）同上のタグブロックの側面断面図である。
（ｃ２）同上のタグブロックの正面図である。
【図３】（ａ）同上の鍵ブロックに鍵を挿入する状態を示す図である。
（ｂ）同上の鍵ブロックに鍵を挿入した状態を示す正面図である。
【図４】（ａ）実施形態２の非接触ＩＤタグのタグケースの側面図である。
（ｂ）同上のタグケースの正面図である。
【図５】（ａ１）同上のベースの側面図である。
（ａ２）同上のベースの正面図である。
（ｂ１）同上のタグふたの側面図である。
（ｂ２）同上のタグふたの正面図である。
（ｃ１）同上のタグケース本体の側面図である。
（ｃ２）同上のタグケース本体の正面図である。
【図６】（ａ１）同上のタグケース本体の側面図である。
（ａ２）同上のタグケース本体の正面図である。
（ｂ）同上のタグケース本体に配置する鍵の正面図である。
【図７】（ａ）同上のタグケース本体に鍵を配置した状態を示す正面図である。
（ｂ）同上のふた部材の正面図である。
【図８】（ａ）実施形態３の非接触ＩＤタグのタグケース本体に鍵を配置した状態を示す図である。
（ｂ）同上のふた部材の正面図である。
【図９】（ａ）同上のタグケース本体にふた部材を結合した状態を示す側面図である。（ｂ）同上のタグケース本体にふた部材を結合した状態を示す正面図である。
【図１０】（ａ）実施形態４の非接触ＩＤタグのタグケースの側面図である。
（ｂ）同上のタグケースの正面図である。
【図１１】（ａ１）同上のベースの側面図である。
（ａ２）同上のベースの正面図である。
（ｂ１）同上のタグふたの側面図である。
（ｂ２）同上のタグふたの正面図である。
（ｃ１）同上のタグケース本体の側面図である。
（ｃ２）同上のタグケース本体の正面図である。
【図１２】（ａ）同上のタグケース本体の側面図である。
（ｂ）同上のタグケース本体に鍵を挿入した状態を示す正面図である。
【図１３】（ａ）同上のタグケース本体の側面図である。
（ｂ）同上のタグケース本体に鍵を挿入した状態を示す正面図である。
（ｃ）同上のふた部材の正面図である。
【図１４】（ａ）実施形態５の非接触ＩＤタグのタグケースのタグケース本体の側面図である。
（ｂ）同上のタグケース本体に鍵を挿入した状態を示す正面図である。
（ｃ）同上のふた部材の正面図である。
【図１５】（ａ）同上の非接触ＩＤタグのタグケース本体の側面図である。
（ｂ）同上のタグケースの正面図である。
【符号の説明】
１  タグブロック
２  鍵ブロック
３  アンテナ
４  回路部
７  開口部
８、９  凹部
１０  挿入孔
１１  突部
１２  嵌合部
１３  突部
２０  タグケース本体
２０ａ  ベース
２０ｂ  タグふた
２０ｃ  凹平面
２１  ふた部材
２２  突部
２３  切り欠き部
３０  タグケース本体
３０ａ  ベース
３０ｂ  タグふた
３１  ふた部材
３２  空間部
３３  切り欠き部
３４  突部
Ｋ  鍵
Ｋａ  取手部
Ｋｂ  貫通孔
Ｓ  シリアル番号
【図１】
2004238888.tif 000003
【図２】
2004238888.tif 000004
【図３】
2004238888.tif 000005
【図４】
2004238888.tif 000006
【図５】
2004238888.tif 000007
【図６】
2004238888.tif 000008
【図７】
2004238888.tif 000009
【図８】
2004238888.tif 000010
【図９】
2004238888.tif 000011
【図１０】
2004238888.tif 000012
【図１１】
2004238888.tif 000013
【図１２】
2004238888.tif 000014
【図１３】
2004238888.tif 000015
【図１４】
2004238888.tif 000016
【図１５】
2004238888.tif 000017